(57)【要約】【課題】外観を損なうことなく、防水性の低下を抑制することができる設備機器を提供する。【解決手段】設備機器１は、第１の筐体２と、第１の筐体２が上に載せられる第２の筐体３とを備える。第１の筐体２は、第１の筐体２におけるカバー２２の前壁２２１（第１の外側面）に隣り合うボディ２１の側面（上面，下面，左面，右面）の全周にわたって溝２６が形成される。溝２６のうち第１の筐体２の下辺に沿った部分の少なくとも一部は持ち手を兼ねる。【選択図】図１
2015079893.tif 000002
【特許請求の範囲】
【請求項１】
第１の筐体と、
前記第１の筐体が上に載せられる第２の筐体とを備え、
前記第１の筐体は、前記第１の筐体における第１の外側面に隣り合う第２の外側面の全周にわたって溝が形成され、
前記溝のうち前記第１の筐体の下辺に沿った部分の少なくとも一部は持ち手を兼ねる
ことを特徴とする設備機器。
【請求項２】
前記第１の筐体は、前記第１の外側面に沿う一面に開口が形成されたボディと、前記開口を塞ぐカバーとを備え、
前記ボディにおいて、前記一面に隣り合う面を前記第２の外側面として前記溝が形成され、
前記溝は、底面を形成する第１の片と、前記第１の片における前記開口に交差する方向の両側に連続して側面を形成する第２の片および第３の片とを備え、
前記第２の片は、前記第１の片と前記第２の外側面とを連続させ、
前記第３の片は、前記カバーの周部が接触した状態で前記カバーが取り付けられる
ことを特徴とする請求項１記載の設備機器。
【請求項３】
前記第１の筐体の下辺に沿った前記第３の片のうち前記持ち手となる部位は、前記第３の片の下部が折り返された折り返し片を備える
ことを特徴とする請求項２記載の設備機器。
【請求項４】
前記第１の筐体の下辺に沿った前記第３の片のうち前記持ち手となる部位の下端は、前記第１の筐体の下面よりも上側に位置する
ことを特徴とする請求項２または３に記載の設備機器。
【発明の詳細な説明】
【技術分野】
【０００１】
本発明は、設備機器に関するものである。
【背景技術】
【０００２】
従来、屋外に設置された筐体を備える設備機器がある（例えば、特許文献１参照）。このような設備機器は、比較的重量が大きいことが多く、設置する際に取っ手を必要としていた。
【先行技術文献】
【特許文献】
【０００３】
【特許文献１】特開２０１３−９５８４号公報
【発明の概要】
【発明が解決しようとする課題】
【０００４】
取っ手は、設備機器の筐体の外側面に取り付けた構成、または筐体に設けた孔に合成樹脂の部材を嵌め込んだ構成が一般的に採用されている。前者の構成は、筐体の外側面にとってが突出しているので、外観が損なわれる。後者の構成は、孔に部材を嵌め込んでいるいるので、隙間が生じやすくなり、防水性が低下するという問題がある。
【０００５】
本発明は、上記事由に鑑みてなされたものであり、その目的は、外観を損なうことなく、防水性の低下を抑制することができる設備機器を提供することにある。
【課題を解決するための手段】
【０００６】
本発明の設備機器は、第１の筐体と、前記第１の筐体が上に載せられる第２の筐体とを備え、前記第１の筐体は、前記第１の筐体における第１の外側面に隣り合う第２の外側面の全周にわたって溝が形成され、前記溝のうち前記第１の筐体の下辺に沿った部分の少なくとも一部は持ち手を兼ねることを特徴とする。
【０００７】
この設備機器において、前記第１の筐体は、前記第１の外側面に沿う一面に開口が形成されたボディと、前記開口を塞ぐカバーとを備え、前記ボディにおいて、前記一面に隣り合う面を前記第２の外側面として前記溝が形成され、前記溝は、底面を形成する第１の片と、前記第１の片における前記開口に交差する方向の両側に連続して側面を形成する第２の片および第３の片とを備え、前記第２の片は、前記第１の片と前記第２の外側面とを連続させ、前記第３の片は、前記カバーの周部が接触した状態で前記カバーが取り付けられることが好ましい。
【０００８】
この設備機器において、前記第１の筐体の下辺に沿った前記第３の片のうち前記持ち手となる部位は、前記第３の片の下部が折り返された折り返し片を備えることが好ましい。
【０００９】
この設備機器において、前記第１の筐体の下辺に沿った前記第３の片のうち前記持ち手となる部位の下端は、前記第１の筐体の下面よりも上側に位置することが好ましい。
【発明の効果】
【００１０】
以上説明したように、本発明では、第１の筐体に形成された溝のうち第１の筐体の下辺に沿った部分は、持ち手を兼ねる。したがって、溝は、水切り溝としての機能だけでなく、第１の筐体の持ち手としての機能を有するので、外観を損なうことなく、防水性の低下を抑制することができるという効果がある。
【図面の簡単な説明】
【００１１】
【図１】実施形態において、カバーを外した状態を示す第１の筐体の正面図である。
【図２】実施形態において、カバーを外した状態を示す第１の筐体の側面図である。
【図３】実施形態において、カバーを外した状態を示す第１の筐体の下面図である。
【図４】実施形態に用いる第１の筐体の正面図である。
【図５】実施形態に用いる第１の筐体の側面図である。
【図６】実施形態の全体を示す設備機器の正面図である。
【図７】実施形態において、カバーを外した状態を示す設備機器の正面図である。
【図８】（ａ）（ｂ）実施形態の設置作業を示す図である。
【発明を実施するための形態】
【００１２】
以下、本発明の実施の形態を図面に基づいて説明する。
【００１３】
（実施形態）
本実施形態の設備機器１（図６参照）は、屋外に設置され、太陽電池と蓄電池との少なくとも一方が出力する直流電力を交流電力に変換して、屋内の電気負荷（例えば照明器具など）に電力を供給する電力変換装置（パワーコンディショナ）として用いられる。太陽電池と蓄電池とに由来する電力は、系統電源から受電しているときは系統に連係する。また、これらの電力は、系統電源が停電しているときには自立端子から電気負荷に出力される。さらに、太陽電池に由来する電力は、蓄電池の充電に用いることも可能である。なお、設備機器１を電力変換装置に限定する趣旨ではない。
【００１４】
本実施形態の設備機器１の外観正面図を図６、カバー２２，カバー３２を外した状態の正面図を図７に示す。なお、図６における上下左右を上下左右方向、上下左右に直交する図の手前方向を前方向、上下左右に直交する図の奥方向を後方向と規定して、以下説明する。
【００１５】
本実施形態の設備機器１の外郭は、第１の筐体２（本体）と、第１の筐体２が上に載せられる第２の筐体３（ベース）とで構成されている。第１の筐体２は、前方に開口２３を有する矩形箱状のボディ２１と、開口２３を塞ぐカバー２２とで構成されている。第２の筐体３は、前方に開口３３を有する矩形箱状のボディ３１と、開口３３を塞ぐカバー３２とで構成されている。
【００１６】
第１の筐体２には、電力変換ユニット４が収納されている。電力変換ユニット４は、設備機器１の外部に設けられた太陽電池（図示なし）と蓄電池（図示なし）との少なくとも一方が接続される。また、電力変換ユニット４は、屋内に設置された分電盤のブレーカ（図示なし）または、第２の筐体３に収納された切替ユニット５に設けられたブレーカ５１を介して、屋内の電気負荷に接続される。そして、電力変換ユニット４は、太陽電池，蓄電池に由来する直流電力を交流電力に変換し、変換した交流電力を屋内の電気負荷に供給する。さらに電力変換ユニット４は、太陽電池の発電電力および系統電源（商用電源）からの供給電力を用いて蓄電池を充電する機能および、太陽電池の発電電力を系統電源に逆潮流させて売電する機能も有する。
【００１７】
第２の筐体３には、切替ユニット５と、トランス６が収納されている。切替ユニット５は、停電時において、ブレーカ５１を介して接続された電気負荷に対して太陽電池，蓄電池の発電電力を供給する自立運転モードに切り替える機能を有する。トランス６は、太陽電池，蓄電池に由来する電力から生成された交流電圧を２線式から３線式に変換する。これにより、切替ユニット５は、単相三線出力することがで、停電時において、２００Ｖ対応の電気負荷を自立運転モードで駆動させることができる。
【００１８】
次に、第１の筐体２の構造について詳細に説明する。ボディ２１を前側から見た正面図を図１、ボディ２１を右側から見た側面図を図２、ボディ２１を下側から見た下面図を図３に示す。
【００１９】
ボディ２１は、金属製（主に金属系）の板材が曲げ加工されることで、前方に開口２３を有する矩形箱状に形成される。具体的には、ボディ２１の後壁２１１は矩形状に形成されており、この後壁２１１に電力変換ユニット４が固定されている。そして、後壁２１１の各端（上端，下端，左端，右端）から前方向に矩形状の側壁（上壁２１２，下壁２１３，左壁２１４，右壁２１５）が突出している。さらに、上壁２１２の前端から下方向、下壁２１３の前端から上方向、左壁２１４の前端から右方向、右壁２１５の前端から左方向に前壁２１６（第２の片）が突出しており、枠状に形成された前壁２１６で矩形状の開口２３が構成される。なお、ボディ２１の側壁（上壁２１２，下壁２１３，左壁２１４，右壁２１５）は、第１の筐体２（ボディ２１）の側面のである上面，下面，左面，右面（第２の外側面）の一部を構成し、前壁２１６がボディ２１の前面の一部を構成している。
【００２０】
また、前壁２１６の内周側の縁から前方向に立ち上げ壁２４（第１の片）が突出している。さらに、立ち上げ壁２４の前端から前壁２１６の外周方向に鍔部２５（第３の片）が突出している。なお、鍔部２５は、前壁２１６の外周側の縁よりも内側となるように形成されている。そして、底面を形成する立ち上げ壁２４と、開口２３に交差する方向（前後方向）において立ち上げ壁２４の両側に連続して側面を形成する前壁２１６および鍔部２５とで溝２６が構成されている。すなわち、溝２６は、第１の筐体２（ボディ２１）の側面（上面，下面，左面，右面）の全周にわたって形成されている。この溝２６は、作業者の手の指が入る寸法となるように、前壁２１６，立ち上げ壁２４，鍔部２５の各寸法が設定されている。
【００２１】
さらに、枠状に形成された鍔部２５のうち、ボディ２１の下辺に沿った部分における左右両端近傍が後方向に折り返された折り返し片２５１が形成されている。また、鍔部２５は、ボディ２１の上辺に沿った部分における左右方向の中央部が上方向に突出した突出部２５２が形成されている。また、鍔部２５は、ボディ２１の下辺に沿った部分の左右両端近傍および、ボディ２１の上辺に沿った部分の左右両端近傍に、ネジ孔２５３が形成されている。
【００２２】
次に、ボディ２１の前側に設けられ、開口２３を塞ぐカバー２２について説明する。ボディ２１にカバー２２が取り付けられた第１の筐体２を前側から見た正面図を図４、第１の筐体２を右側から見た側面図を図５に示す。
【００２３】
カバー２２は、金属製（主に金属系）の板材が曲げ加工されることで構成されている。具体的には、カバー２２の前壁２２１（第１の外側面）は矩形状に形成されており、前壁２２１の各端（上端，下端，左端，右端）から後方向に矩形状の側壁（上壁２２２，下壁２２３，左壁２２４，右壁２２５）が突出している。そして、カバー２２は、上壁２２２，下壁２２３，左壁２２４，右壁２２５がボディ２１の立ち上げ壁２４と対向し、前壁２２１がボディ２１の開口２３の前側を塞ぐようにボディ２１に取り付けられる。このとき、鍔部２５から上方向に突出した突出部２５２の上端が、カバー２２の上壁２２２に接触することで、ボディ２１に対するカバー２２の上下方向の位置決めがなされる。また、カバー２２は、ボディ２１の鍔部２５に形成されたネジ孔２５３と対向する位置に孔２２６が形成されており、孔２２６を介してビス２７がネジ孔２５３に取り付けられることで、ボディ２１にカバー２２が固定される。すなわち、鍔部２５は、カバー２２の前壁２２１の周部が接触した状態でカバー２２が取り付けられ、ボディ２１の前面はカバー２２の前壁２２１に沿った状態となる。
【００２４】
ここで、ボディ２１の側壁（上壁２１２，下壁２１３，左壁２１４，右壁２１５）と、カバー２２の側壁（上壁２２２，下壁２２３，左壁２２４，右壁２２５）との隙間から侵入した水は、ボディ２１に形成された溝２６によって受けられ排出される。すなわち、溝２６は、ボディ２１の内部への水の浸入を防止する水切り溝としての機能を有している。
【００２５】
次に、設備機器１の設置について図８を用いて説明する。第１の筐体２に収納される電力変換ユニット４および、第２の筐体３に収納される切替ユニット５に配線を接続する必要があるので、カバー２２，カバー３２が取り外された状態で、設備機器１の設置が行われる。
【００２６】
まず、第２の筐体３のボディ３１がアンカーボルト（図示なし）を用いて地面に固定される。そして、地面に固定されたボディ３１の上にボディ２１が載せられる。ここで、ボディ２１は、金属で構成され、さらにボディ２１に取り付けられた電力変換ユニット４は、電子部品，回路基板，放熱用のファン，ヒートシンク等多数の部品で構成されている。したがって、ボディ２１は、比較的重量が大きくなる。そこで、二人の作業者でボディ２１を持ち上げ、ボディ３１の上に載せられる。このとき、各作業者は、溝２６に形成された折り返し片２５１に片方の手の指を掛け、もう片方の手でボディ２１が倒れないように支えた状態でボディ２１を持ち上げてボディ３１の上に載せる（図８（ａ）（ｂ）参照）。そして、ボディ２１とボディ３１とがボルト（図示なし）で固定され、電力変換ユニット４，切替ユニット５に配線が接続されたのち、カバー２２，カバー３２が取り付けられる。
【００２７】
上述したように、本実施形態の設備機器１は、第１の筐体２と、第１の筐体２が上に載せられる第２の筐体３とを備える。第１の筐体２は、第１の筐体２におけるカバー２２の前壁２２１（第１の外側面）に隣り合うボディ２１の側面（上面，下面，左面，右面）の全周にわたって溝２６が形成される。溝２６のうち第１の筐体２の下辺に沿った部分の少なくともは持ち手を兼ねる。さらに、第１の筐体２は、カバー２２の前壁２２１に沿う前面（一面）に開口２３が形成されたボディ２１と、開口２３を塞ぐカバー２２とを備える。ボディ２１において、前面に隣り合う面を側面（上面，下面，左面，右面）として溝２６が形成される。溝２６は、底面を形成する立ち上げ壁２４（第１の片）と、開口２３に交差する前後方向において立ち上げ壁２４の両側に連続して側面を形成する前壁２１６（第２の片）および鍔部２５（第３の片）とを備える。前壁２１６は、立ち上げ壁２４と側壁（上壁２１２，下壁２１３，左壁２１４，右壁２１５）とを連続させる。鍔部２５は、カバー２２の周部が接触した状態でカバー２２が取り付けられる。さらに、第１の筐体２の下辺に沿った鍔部２５のうち持ち手となる部位は、鍔部２５の下部が折り返された折り返し片２５１を備える。さらに、第１の筐体２の下辺に沿った鍔部２５のうち持ち手となる部位の下端は、第１の筐体２の下壁２１３（下面）よりも上側に位置する。
【００２８】
このように、本実施形態の第１の筐体２に形成された溝２６は、ボディ２１内に水の浸入を防止する水切り溝としての機能と、第１の筐体２の持ち手としての機能とを有する。したがって、第１の筐体２とは別体に構成された取っ手を、溶接やビス等を用いてボディ２１に外付けで設ける必要がないので、外観を損なうことなく、防水性の低下が抑制される。また、ボディ２１にカバー２２が取り付けられることによって、溝２６もカバー２２に覆われるので、第１の筐体２から溝２６が突出および露出することがないので、外観がより保たれ、安全性も確保することができる。
【００２９】
さらに、溝２６に形成された折り返し片２５１は、上下方向が厚み方向となるので、ボディ２１が持ち上げられる際に、作業者の指に接触する面積が比較的大きくなる。そのため、作業者の指に掛かる荷重が分散され、作業者の指が痛くなりにくくなり、施工性を向上させることができる。さらに、折り返し片２５１は、鍔部２５の下部が折り返されることで構成されているので、折り返し片２５１を形成することによるコストの増加が抑制され、外観を損なうこともない。なお、折り返し片２５１は、第１の筐体２の下辺に沿った鍔部２５における、左端から右端までにわたって下部が折り返されることで構成されていてもよい。また、第１の筐体２の下辺に沿った鍔部２５の一部または全体に、樹脂部材，弾性部材，金属部材などの別部品を取り付け、ボディ２１を持ち上げる際における作業者の指に掛かる荷重を分散させるように構成してもよい。
【００３０】
また、鍔部２５の下端は、ボディ２１の下壁２１３（下面）よりも上側に位置するように構成されている（図１，図２参照）。したがって、作業者は、ボディ２１を傾けることなく立てた状態で溝２６に指を入れることができるので、施工性が向上する。さらに、ボディ２１をボディ３１の上に載せる際に、ボディ２１とボディ３１との間に指が挟まれることがないので、安全性も確保することができる。
【００３１】
また、設備機器１は、第１の筐体２と第２の筐体３とで構成されているので、第１，第２の筐体２，３それぞれの重量は、第１，第２の筐体２，３を一体に構成する場合に比べて軽くなるので、設置する際の作業性が向上する。
【００３２】
さらに、電力変換ユニット４を収納する第１の筐体２は、第２の筐体３を台として兼用しているので、地面から電力変換ユニット４までの距離が確保され、電力変換ユニット４が水没する可能性が低減する。
【符号の説明】
【００３３】
１  設備機器
２  第１の筐体
２１  ボディ
２１６  前壁（第２の片）
２２  カバー
２２１  前壁（第１の外側面）
２３  開口
２４  立ち上げ壁（第１の片）
２５  鍔部（第３の片）
２５１  折り返し片
２６  溝
３  第２の筐体
３１  ボディ
３２  カバー
【図１】
2015079893.tif 000003
【図２】
2015079893.tif 000004
【図３】
2015079893.tif 000005
【図４】
2015079893.tif 000006
【図５】
2015079893.tif 000007
【図６】
2015079893.tif 000008
【図７】
2015079893.tif 000009
【図８】
2015079893.tif 000010